(57)【要約】映像を投影するプロジェクタにおいて、映像を投影していない状態且つ音声信号出力端子から音声信号を出力可能な状態であるスタンバイ状態において、音声信号出力端子から出力される音声信号の音量を調整するための操作が行われた際に、音声信号出力端子に音声信号ケーブルが接続されていないと判断した場合、操作に応じた音量の調整を禁止する。
2009122489.tif 000002
【特許請求の範囲】
【請求項１】
音声信号を入力する音声信号入力端子と、該音声信号入力端子に入力した音声信号を出力する音声信号出力端子とを具備し、映像を投影するプロジェクタであって、
前記音声信号出力端子から出力される音声信号の音量を調整するための操作が行われた場合、該操作に応じて前記音量を調整する音量制御部と、
前記音声信号出力端子に当該プロジェクタと外部装置とを接続するためのケーブルが接続されているかどうかを判断する接続判断部とを有し、
前記音量制御部は、前記映像を投影していない状態且つ前記音声信号出力端子から音声信号を出力可能な状態であるスタンバイ状態において、前記接続判断部が前記音声信号出力端子に前記ケーブルが接続されていないと判断した場合、前記音量の調整を行わないプロジェクタ。
【請求項２】
請求項１に記載のプロジェクタにおいて、
前記接続判断部は、さらに前記音声信号入力端子に当該プロジェクタと外部装置とを接続するためのケーブルが接続されているかどうかを判断し、
前記音量制御部は、前記スタンバイ状態において、前記接続判断部が前記音声信号出力端子に前記ケーブルが接続されていないと判断し、且つ前記接続判断部が前記音声信号入力端子に前記ケーブルが接続されていないと判断した場合、前記音量の調整を行わないプロジェクタ。
【請求項３】
請求項１に記載のプロジェクタにおいて、
前記スタンバイ状態において、前記接続判断部が前記音声信号出力端子に前記ケーブルが接続されていないと判断した場合、前記音量制御部へ前記音量の調整の禁止を指示するフラグを出力するフラグ制御部を有し、
前記音量制御部は、前記フラグ制御部から前記音量の調整の禁止を指示するフラグを入力した場合、前記音量の調整を行わないことを特徴とするプロジェクタ。
【請求項４】
請求項３に記載のプロジェクタにおいて、
前記フラグ制御部は、前記スタンバイ状態において、前記接続判断部が前記音声信号出力端子に前記ケーブルが接続されていないと判断し、且つ前記接続判断部が前記音声信号入力端子に前記ケーブルが接続されていないと判断した場合、前記音量制御部へ前記音量の調整の禁止を指示するフラグを出力することを特徴とするプロジェクタ。
【請求項５】
音声信号を入力する音声信号入力端子と、該音声信号入力端子に入力した音声信号を出力する音声信号出力端子とを具備し、映像を投影するプロジェクタであって、
前記音声信号出力端子から出力される音声信号の音量を調整するための操作が行われた場合、該操作に応じて前記音量を調整する音量制御部を有し、
前記音量制御部は、前記音声信号出力端子から音声信号が出力されているかどうかを判断し、前記映像を投影していない状態且つ前記音声信号出力端子から音声信号を出力可能な状態であるスタンバイ状態において、前記音声信号が出力されていないと判断した場合、前記音量の調整を行わないプロジェクタ。
【請求項６】
音声信号を入力する音声信号入力端子と、前記音声信号を出力する音声信号出力端子とを具備し、映像を投影するプロジェクタにおいて、前記音声信号入力端子に入力した音声信号の音量を調整して前記音声信号出力端子から出力する音声信号出力方法であって、
前記音声信号出力端子に当該プロジェクタと外部装置とを接続するためのケーブルが接続されているかどうかを判断する処理と、
前記映像を投影していない状態且つ前記音声信号出力端子から音声信号を出力可能な状態であるスタンバイ状態において、前記音声信号出力端子から出力される音声信号の音量を調整するための操作が行われた際に、前記音声信号出力端子に前記ケーブルが接続されていないと判断した場合、前記操作に応じた前記音量の調整を禁止する処理とを有する音声信号出力方法。
【請求項７】
請求項６に記載の音声信号出力方法において、
前記音声信号入力端子に当該プロジェクタと外部装置とを接続するためのケーブルが接続されているかどうかを判断する処理と、
前記スタンバイ状態において、前記音声信号出力端子から出力される音声信号の音量を調整するための操作が行われた際に、前記音声信号出力端子に前記ケーブルが接続されていないと判断し、且つ前記音声信号入力端子に前記ケーブルが接続されていないと判断した場合、前記操作に応じた前記音量の調整を禁止する処理を有することを特徴とする音声信号出力方法。
【請求項８】
音声信号を入力する音声信号入力端子と、前記音声信号を出力する音声信号出力端子とを具備し、映像を投影するプロジェクタにおいて、前記音声信号入力端子に入力した音声信号の音量を調整して前記音声信号出力端子から出力する音声信号出力方法であって、
前記音声信号出力端子から音声信号が出力されているかどうかを判断する処理と、
前記映像を投影していない状態且つ前記音声信号出力端子から音声信号を出力可能な状態であるスタンバイ状態において、前記音声信号出力端子から出力される音声信号の音量を調整するための操作が行われた際に、前記音声信号出力端子から音声信号が出力されていないと判断した場合、前記操作に応じた前記音量の調整を禁止する処理とを有する音声信号出力方法。
【請求項９】
音声信号を入力する音声信号入力端子と、前記音声信号を出力する音声信号出力端子とを具備し、映像を投影するプロジェクタに、前記音声信号入力端子に入力した音声信号の音量を調整して前記音声信号出力端子から出力するために実行させるプログラムであって、
前記音声信号出力端子に当該プロジェクタと外部装置とを接続するためのケーブルが接続されているかどうかを判断する手順と、
前記映像を投影していない状態且つ前記音声信号出力端子から音声信号を出力可能な状態であるスタンバイ状態において、前記音声信号出力端子から出力される音声信号の音量を調整するための操作が行われた際に、前記音声信号出力端子に前記ケーブルが接続されていないと判断した場合、前記操作に応じた前記音量の調整を禁止する手順とを前記プロジェクタに実行させるプログラム。
【請求項１０】
請求項９に記載のプログラムにおいて、
前記音声信号入力端子に当該プロジェクタと外部装置とを接続するためのケーブルが接続されているかどうかを判断する手順と、
前記スタンバイ状態において、前記音声信号出力端子から出力される音声信号の音量を調整するための操作が行われた際に、前記音声信号出力端子に前記ケーブルが接続されていないと判断し、且つ前記音声信号入力端子に前記ケーブルが接続されていないと判断した場合、前記操作に応じた前記音量の調整を禁止する手順を前記プロジェクタに実行させることを特徴とするプログラム。
【請求項１１】
音声信号を入力する音声信号入力端子と、前記音声信号を出力する音声信号出力端子とを具備し、映像を投影するプロジェクタに、前記音声信号入力端子に入力した音声信号の音量を調整して前記音声信号出力端子から出力するために実行させるプログラムであって、
前記音声信号出力端子から音声信号が出力されているかどうかを判断する手順と、
前記映像を投影していない状態且つ前記音声信号出力端子から音声信号を出力可能な状態であるスタンバイ状態において、前記音声信号出力端子から出力される音声信号の音量を調整するための操作が行われた際に、前記音声信号出力端子から音声信号が出力されていないと判断した場合、前記操作に応じた前記音量の調整を禁止する手順とを前記プロジェクタに実行させるプログラム。
【発明の詳細な説明】
【技術分野】
【０００１】
本発明は、入力した音声信号を所望の音量に調整して出力するプロジェクタ、音声信号出力方法およびプログラムに関する。
【背景技術】
【０００２】
近年、会議等で用いられる資料を映像として投影するためにプロジェクタが用いられることが多い。プロジェクタには、外部装置（例えば、ＰＣ等）から出力された信号を入力するための信号入力端子と、外部装置（例えば、外部スピーカ等）へ信号を出力するための信号出力端子とが設けられたものもある。【０００３】
また、プロジェクタには、信号入力端子に入力した音声信号を信号出力端子から出力する際、その出力のレベル（音量）を調整するための音量調整機能が設けられている。つまり、プロジェクタを利用する利用者がこの音量調整機能を用いることにより、信号出力端子に接続された外部装置から出力される音声の音量を調整することができる。【０００４】
このようなプロジェクタにおいて、信号出力端子に外部装置が接続された状態で、音量調整が行われた場合、外部装置から出力される音声を聞くことにより、調整された音量レベルを認識することができる。【０００５】
しかしながら、信号出力端子に外部装置が接続されていない状態で音量調整が行われた場合、外部装置から出力される音量がどの程度に調整されたかを認識することができない。【０００６】
また、音声を出力する内蔵スピーカを内部に具備するプロジェクタも存在するが、プロジェクタが内蔵スピーカからの音声出力を行わない状態においては、音量が調整されても調整された音量を認識することができない。【０００７】
そこで、音量を示す情報を、プロジェクタから投影される映像の一部に表示する技術が考えられている（例えば、特開２００６−０１０９５０号公報参照。）。【０００８】
また、電源投入時には、所定の音量で音声を出力する技術が考えられている（例えば、特開２０００−１８４３１０号公報参照。）。【０００９】
しかしながら、特開２００６−０１０９５０号公報に記載された技術を用いた場合であっても、プロジェクタが映像を投影しない動作状態（スタンバイ状態）において音量が調整されてしまうと、調整された音量を認識することができないという問題点がある。【００１０】
そのため、例えば、信号出力端子に外部装置が接続されていない状態やスタンバイ状態で外部装置から出力される音量が最大限に調整された後、信号出力端子に外部装置が接続された場合、外部装置から大音量の音声が突然出力されてしまうという問題点がある。【００１１】
また、特開２０００−１８４３１０号公報に記載された技術においては、映像を投影しないスタンバイ状態が定義されていない。また、例えば、起動後に音量が最大限に調整された後、信号出力端子に外部装置が接続された場合、外部装置から大音量の音声が突然出力されてしまうという問題点がある。
【発明の開示】
【００１２】
本発明は、上述した課題を解決するプロジェクタ、音声信号出力方法およびプログラムを提供することを目的とする。
【００１３】
上記目的を達成するために本発明は、
音声信号を入力する音声信号入力端子と、該音声信号入力端子に入力した音声信号を出力する音声信号出力端子とを具備し、映像を投影するプロジェクタであって、
前記音声信号出力端子から出力される音声信号の音量を調整するための操作が行われた場合、該操作に応じて前記音量を調整する音量制御部と、
前記音声信号出力端子に当該プロジェクタと外部装置とを接続するためのケーブルが接続されているかどうかを判断する接続判断部とを有し、
前記音量制御部は、前記映像を投影していない状態且つ前記音声信号出力端子から音声信号を出力可能な状態であるスタンバイ状態において、前記接続判断部が前記音声信号出力端子に前記ケーブルが接続されていないと判断した場合、前記音量の調整を行わない。
【００１４】
また、音声信号を入力する音声信号入力端子と、該音声信号入力端子に入力した音声信号を出力する音声信号出力端子とを具備し、映像を投影するプロジェクタであって、
前記音声信号出力端子から出力される音声信号の音量を調整するための操作が行われた場合、該操作に応じて前記音量を調整する音量制御部を有し、
前記音量制御部は、前記音声信号出力端子から音声信号が出力されているかどうかを判断し、前記映像を投影していない状態且つ前記音声信号出力端子から音声信号を出力可能な状態であるスタンバイ状態において、前記音声信号が出力されていないと判断した場合、前記音量の調整を行わない。
【００１５】
また、音声信号を入力する音声信号入力端子と、前記音声信号を出力する音声信号出力端子とを具備し、映像を投影するプロジェクタにおいて、前記音声信号入力端子に入力した音声信号の音量を調整して前記音声信号出力端子から出力する音声信号出力方法であって、
前記音声信号出力端子に当該プロジェクタと外部装置とを接続するためのケーブルが接続されているかどうかを判断する処理と、
前記映像を投影していない状態且つ前記音声信号出力端子から音声信号を出力可能な状態であるスタンバイ状態において、前記音声信号出力端子から出力される音声信号の音量を調整するための操作が行われた際に、前記音声信号出力端子に前記ケーブルが接続されていないと判断した場合、前記操作に応じた前記音量の調整を禁止する処理とを有する。
【００１６】
また、音声信号を入力する音声信号入力端子と、前記音声信号を出力する音声信号出力端子とを具備し、映像を投影するプロジェクタにおいて、前記音声信号入力端子に入力した音声信号の音量を調整して前記音声信号出力端子から出力する音声信号出力方法であって、
前記音声信号出力端子から音声信号が出力されているかどうかを判断する処理と、
前記映像を投影していない状態且つ前記音声信号出力端子から音声信号を出力可能な状態であるスタンバイ状態において、前記音声信号出力端子から出力される音声信号の音量を調整するための操作が行われた際に、前記音声信号出力端子から音声信号が出力されていないと判断した場合、前記操作に応じた前記音量の調整を禁止する処理とを有する。
【００１７】
また、音声信号を入力する音声信号入力端子と、前記音声信号を出力する音声信号出力端子とを具備し、映像を投影するプロジェクタに、前記音声信号入力端子に入力した音声信号の音量を調整して前記音声信号出力端子から出力するために実行させるプログラムであって、
前記音声信号出力端子に当該プロジェクタと外部装置とを接続するためのケーブルが接続されているかどうかを判断する手順と、
前記映像を投影していない状態且つ前記音声信号出力端子から音声信号を出力可能な状態であるスタンバイ状態において、前記音声信号出力端子から出力される音声信号の音量を調整するための操作が行われた際に、前記音声信号出力端子に前記ケーブルが接続されていないと判断した場合、前記操作に応じた前記音量の調整を禁止する手順とを前記プロジェクタに実行させる。
【００１８】
また、音声信号を入力する音声信号入力端子と、前記音声信号を出力する音声信号出力端子とを具備し、映像を投影するプロジェクタに、前記音声信号入力端子に入力した音声信号の音量を調整して前記音声信号出力端子から出力するために実行させるプログラムであって、
前記音声信号出力端子から音声信号が出力されているかどうかを判断する手順と、
前記映像を投影していない状態且つ前記音声信号出力端子から音声信号を出力可能な状態であるスタンバイ状態において、前記音声信号出力端子から出力される音声信号の音量を調整するための操作が行われた際に、前記音声信号出力端子から音声信号が出力されていないと判断した場合、前記操作に応じた前記音量の調整を禁止する手順とを前記プロジェクタに実行させる。
【００１９】
以上説明したように本発明においては、映像を投影するプロジェクタにおいて、映像を投影していない状態且つ音声信号出力端子から音声信号を出力可能な状態であるスタンバイ状態において、音声信号出力端子から出力される音声信号の音量を調整するための操作が行われた際に、音声信号出力端子から音声信号が出力可能ではないと判断した場合、操作に応じた音量の調整を禁止する構成としたため、音量を認識することができる状態でのみ音量を調整することができる。
【図面の簡単な説明】
【００２０】
【図１】本発明のプロジェクタの実施の一形態を示す図である。
【図２】図１に示したプロジェクタの構成の一例を示す図である。
【図３】図１に示したプロジェクタにおける音声信号出力方法を説明するためのフローチャートである。
【発明を実施するための最良の形態】
【００２１】
以下に、本発明の実施の形態について図面を参照して説明する。【００２２】
図１は、本発明のプロジェクタの実施の一形態を示す図である。【００２３】
本形態は図１に示すように、プロジェクタ１０１と、音声信号出力装置１０２と、音声出力装置１０３とから構成されている。また、プロジェクタ１０１には、音声信号入力端子１０４および音声信号出力端子１０５が設けられている。また、プロジェクタ１０１は、音声信号入力端子１０４に接続された音声信号ケーブル１０６を介して、音声信号出力装置１０２から出力された音声信号を入力する。また、プロジェクタ１０１は、音声信号出力端子１０５に接続された音声信号ケーブル１０７を介して音声信号を音声出力装置１０３へ出力する。また、プロジェクタ１０１には、プロジェクタ１０１から出力される音声の音量を調整するための音量調整スイッチ１０８が設けられている。【００２４】
プロジェクタ１０１は、音声信号入力端子１０４に入力した音声信号を音量調整スイッチ１０８にて調整された音量で音声信号出力端子１０５へ出力する信号レベル調整装置である。また、プロジェクタ１０１は、一般的な映像を投影する機能を有しており、動作状態がスタンバイ状態である場合、映像を投影しないものである。また、スタンバイ状態においても、音声信号出力端子１０５から音声信号を出力することは可能である。【００２５】
音声信号出力装置１０２は、ビデオデッキやＤＶＤプレイヤー、ＰＣ等の音声信号を出力する装置である。【００２６】
音声出力装置１０３は、音声信号を入力し、入力した音声信号を音声として出力する。例えば、スピーカが例として挙げられる。【００２７】
以下に、図１に示したプロジェクタ１０１の構成の一例について説明する。【００２８】
図２は、図１に示したプロジェクタ１０１の構成の一例を示す図である。【００２９】
図１に示したプロジェクタ１０１には図２に示すように、音声信号入力端子１０４と、音声信号出力端子１０５と、音量調整スイッチ１０８と、接続判断部１１０，１１１と、フラグ制御部１１２と、音量制御部１１３と、内部スピーカ１１４とが設けられている。【００３０】
音声信号入力端子１０４は、音声信号を出力する外部装置（図１では音声信号出力装置１０２）とケーブル（図１では音声信号ケーブル１０６）を介して接続される入力端子である。接続された状態で、外部装置から出力された音声信号は、音声信号入力端子１０４に入力する。【００３１】
音声信号出力端子１０５は、音声信号入力端子１０４に入力した音声信号を音量制御部１１３を介して出力する出力端子である。音声信号出力端子１０５は、ケーブル（図１では音声信号ケーブル１０７）を介して音声を出力する外部装置（図１では音声出力装置１０３）と接続される。【００３２】
音量調整スイッチ１０８は、音声信号出力端子１０５から出力される音声信号の音量を調整するための一般的なスイッチである。【００３３】
接続判断部１１０は、音声信号入力端子１０４に音声信号ケーブル１０６が接続されているかどうかを判断する。この判断方法は、一般的な方法を用いれば良く、ここでは特に規定しない。例えば、音声信号ケーブル１０６が音声信号入力端子１０４に接続されることにより、所定の信号がショートされたことを検出することによるものであっても良い。【００３４】
接続判断部１１１は、音声信号出力端子１０５に音声信号ケーブル１０７が接続されているかどうかを判断する。この判断方法は、一般的な方法を用いれば良く、ここでは特に規定しない。例えば、音声信号ケーブル１０７が音声信号出力端子１０５に接続されることにより、所定の信号がショートされたことを検出することによるものであっても良い。【００３５】
フラグ制御部１１２は、接続判断部１１０，１１１における判断結果を示す情報をフラグとして音量制御部１１３へ出力する。【００３６】
音量制御部１１３は、音量調整スイッチ１０８における音量調整の操作に応じて、音声信号出力端子１０５から出力される音声信号の音量を調整する。また、フラグ制御部１１２から出力されてきたフラグに基づいて、音量調整スイッチ１０８における音量調整の操作を有効（許可）または無効（不許可）とする。【００３７】
内部スピーカ１１４は、プロジェクタ１０１に内蔵された一般的な内部スピーカであり、音声信号入力端子１０４に入力した音声信号を音量制御部１１３を介して出力する。なお、内部スピーカ１１４は、上述したスタンバイ状態においては、音声を出力しない。【００３８】
なお、図２には、プロジェクタ１０１を構成する要素のうち、本発明に関わる構成要素のみを示した。【００３９】
以下に、本形態における音声信号出力方法について説明する。【００４０】
図３は、図１に示したプロジェクタ１０１における音声信号出力方法を説明するためのフローチャートである。【００４１】
まず、ステップ１にてプロジェクタ１０１に主電源が投入されると、その後はステップ２にてプロジェクタ１０１の状態は「スタンバイ状態」となる。このスタンバイ状態では、プロジェクタ１０１は映像を投影しない。このとき、後述するフラグは「オフ」となっている。【００４２】
その後、ステップ３にて音量調整スイッチ１０８が操作されたことが音量制御部１１３にて認識されると、接続判断部１１０にて音声信号入力端子１０４に音声信号ケーブル１０６が接続されているかどうかがステップ４にて判断される。【００４３】
なお、ステップ３の処理にて、音量の調整が行われたことを認識するには、音量調整スイッチ１０８が操作されたことによるもの以外であっても良い。例えば、プロジェクタ１０１を操作するためのリモートコントローラーを用いた操作や、プロジェクタ１０１の外部機器からの通信による音量調整実行コマンドを用いた操作であっても良く、プロジェクタ１０１から出力される音声信号の音量を変更できるものは全て含まれる。【００４４】
そして、ステップ４における判断結果（接続／未接続）が、接続判断部１１０からフラグ制御部１１２へ出力される。【００４５】
また、接続判断部１１１にて音声信号出力端子１０５に音声信号ケーブル１０７が接続されているかどうかがステップ５にて判断される。そして、ステップ５における判断結果（接続／未接続）が、接続判断部１１１からフラグ制御部１１２へ出力される。【００４６】
接続判断部１１０および接続判断部１１１から出力された判断結果が、双方ともに「接続」である場合、フラグ制御部１１２にて音量制御部１１３へ出力するためのフラグがステップ６にて「オン」に設定される。このフラグの「オン」は、音量調整の許可を意味する。【００４７】
一方、接続判断部１１０から出力された判断結果と接続判断部１１１から出力された判断結果との少なくとも一方が「未接続」である場合は、フラグ制御部１１２にて音量制御部１１３へ出力するためのフラグがステップ７にて「オフ」に設定される。このフラグの「オフ」は、音量調整の不許可（禁止）を意味する。【００４８】
そして、フラグ制御部１１２にて設定されたフラグが、音量制御部１１３へ出力（指示）されると、音量制御部１１３に入力したフラグが「オン」であるか「オフ」であるかがステップ８にて音量制御部１１３において判断される。【００４９】
音量制御部１１３にて、フラグが「オン」であると判断された場合、上述した音量調整操作による音量調整がステップ９にて実行される。【００５０】
一方、音量制御部１１３にて、フラグが「オフ」であると判断された場合、上述した音量調整操作による音量調整はステップ１０にて実行されない。つまり、音量を変化させない。【００５１】
その後、ステップ２のスタンバイ状態に戻り、ステップ３の音量調整操作が認識される度に、これらの処理が行われる。【００５２】
なお、ステップ４の処理を行わず、接続判断部１１１から出力された判断結果に基づいてフラグ制御部１１２にてフラグが設定されるものであっても良い。この場合、接続判断部１１１から出力された判断結果が「接続」である場合、フラグ制御部１１２にて音量制御部１１３へ出力するためのフラグが「オン」に設定される。また、接続判断部１１１から出力された判断結果が「未接続」である場合、フラグ制御部１１２にて音量制御部１１３へ出力するためのフラグが「オフ」に設定される。【００５３】
また、音声信号出力端子１０５から音声信号が出力されていることをハードウェア、ソフトウェアが検知して、音量調整実行処理の許可（音声信号が出力されている場合）、不許可（音声信号が出力されていない場合）を制御するような処理を含むものであっても良い。【００５４】
この場合、音量制御部１１３に音声信号を検出するための音声信号検出機能（ハードウェアまたはソフトウェアで実現される）を設け、音量制御部１１３から音声信号出力端子１０５へ音声信号が出力されていると判断した場合、つまり音声信号出力端子１０５から音声信号が出力されていると判断した場合、音量調整操作による音量調整が実行されるものであっても良い。この音声信号の検出方法は、当該信号が音声信号か否かを当該信号に含まれる識別情報に基づいて判断するものであっても良いし、当該信号の形式に基づいて判断するものであっても良く、一般的な方法を用いれば良い。【００５５】
上述した実施の形態および処理の例は、あくまでも一例であり、違う流れの処理を行った場合でも、権利範囲を含んでいれば、同様のものとする。【００５６】
なお、上述したプロジェクタ１０１の処理は、目的に応じて作製された論理回路で行うようにしても良い。また、処理内容を記述したプログラムをプロジェクタ１０１にて読取可能な記録媒体に記録し、この記録媒体に記録されたプログラムをプロジェクタ１０１に読み込ませ、実行するものであっても良い。プロジェクタ１０１にて読取可能な記録媒体とは、フロッピーディスク（登録商標）、光磁気ディスク、ＤＶＤ、ＣＤなどの移設可能な記録媒体の他、プロジェクタ１０１に内蔵されたＲＯＭ、ＲＡＭ等のメモリやＨＤＤ等を指す。この記録媒体に記録されたプログラムは、プロジェクタ１０１内のＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。【００５７】
これにより、
１．スタンバイ中に外部の音声信号出力装置から音が鳴る条件が整ったときのみ、音量調整を行うことが可能となる。【００５８】
２．音声信号ケーブルが接続されていないスタンバイ状態では、音量調整を操作されても、音声信号出力端子から出力される音声信号の音量は変化しない。【００５９】
といった制御が可能となり、スタンバイ中に音量を変更したい利用者に対して、より有効な発明となる。【００６０】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【図１】
2009122489.tif 000003
【図２】
2009122489.tif 000004
【図３】
2009122489.tif 000005
【手続補正書】
【提出日】平成22年9月16日(2010.9.16)
【手続補正１】
【補正対象書類名】特許請求の範囲
【補正対象項目名】全文
【補正方法】変更
【補正の内容】
【特許請求の範囲】
【請求項１】
音声信号を入力する音声信号入力端子と、該音声信号入力端子に入力した音声信号を出力する音声信号出力端子とを具備し、映像を投影するプロジェクタであって、
前記音声信号出力端子から出力される音声信号の音量を調整するための操作が行われた場合、該操作に応じて前記音量を調整する音量制御部と、
前記音声信号出力端子に当該プロジェクタと外部装置とを接続するためのケーブルが接続されているかどうかを判断する接続判断部とを有し、
前記音量制御部は、前記映像を投影していない状態且つ前記音声信号出力端子から音声信号を出力可能な状態であるスタンバイ状態において、前記接続判断部が前記音声信号出力端子に前記ケーブルが接続されていないと判断した場合、前記音量の調整を行わないプロジェクタ。
【請求項２】
請求項１に記載のプロジェクタにおいて、
前記接続判断部は、さらに前記音声信号入力端子に当該プロジェクタと外部装置とを接続するためのケーブルが接続されているかどうかを判断し、
前記音量制御部は、前記スタンバイ状態において、前記接続判断部が前記音声信号出力端子に前記ケーブルが接続されていないと判断し、且つ前記接続判断部が前記音声信号入力端子に前記ケーブルが接続されていないと判断した場合、前記音量の調整を行わないプロジェクタ。
【請求項３】
請求項１に記載のプロジェクタにおいて、
前記スタンバイ状態において、前記接続判断部が前記音声信号出力端子に前記ケーブルが接続されていないと判断した場合、前記音量制御部へ前記音量の調整の禁止を指示するフラグを出力するフラグ制御部を有し、
前記音量制御部は、前記フラグ制御部から前記音量の調整の禁止を指示するフラグを入力した場合、前記音量の調整を行わないことを特徴とするプロジェクタ。
【請求項４】
請求項３に記載のプロジェクタにおいて、
前記フラグ制御部は、前記スタンバイ状態において、前記接続判断部が前記音声信号出力端子に前記ケーブルが接続されていないと判断し、且つ前記接続判断部が前記音声信号入力端子に前記ケーブルが接続されていないと判断した場合、前記音量制御部へ前記音量の調整の禁止を指示するフラグを出力することを特徴とするプロジェクタ。
【請求項５】
音声信号を入力する音声信号入力端子と、該音声信号入力端子に入力した音声信号を出力する音声信号出力端子とを具備し、映像を投影するプロジェクタであって、
前記音声信号出力端子から出力される音声信号の音量を調整するための操作が行われた場合、該操作に応じて前記音量を調整する音量制御部を有し、
前記音量制御部は、前記音声信号出力端子から音声信号が出力されているかどうかを判断し、前記映像を投影していない状態且つ前記音声信号出力端子から音声信号を出力可能な状態であるスタンバイ状態において、前記音声信号が出力されていないと判断した場合、前記音量の調整を行わないプロジェクタ。
【請求項６】
音声信号を入力する音声信号入力端子と、前記音声信号を出力する音声信号出力端子とを具備し、映像を投影するプロジェクタにおいて、前記音声信号入力端子に入力した音声信号の音量を調整して前記音声信号出力端子から出力する音声信号出力方法であって、
前記音声信号出力端子に当該プロジェクタと外部装置とを接続するためのケーブルが接続されているかどうかを判断する処理と、
前記映像を投影していない状態且つ前記音声信号出力端子から音声信号を出力可能な状態であるスタンバイ状態において、前記音声信号出力端子から出力される音声信号の音量を調整するための操作が行われた際に、前記音声信号出力端子に前記ケーブルが接続されていないと判断した場合、前記操作に応じた前記音量の調整を禁止する処理とを有する音声信号出力方法。
【請求項７】
請求項６に記載の音声信号出力方法において、
前記音声信号入力端子に当該プロジェクタと外部装置とを接続するためのケーブルが接続されているかどうかを判断する処理と、
前記スタンバイ状態において、前記音声信号出力端子から出力される音声信号の音量を調整するための操作が行われた際に、前記音声信号出力端子に前記ケーブルが接続されていないと判断し、且つ前記音声信号入力端子に前記ケーブルが接続されていないと判断した場合、前記操作に応じた前記音量の調整を禁止する処理を有することを特徴とする音声信号出力方法。
【請求項８】
音声信号を入力する音声信号入力端子と、前記音声信号を出力する音声信号出力端子とを具備し、映像を投影するプロジェクタにおいて、前記音声信号入力端子に入力した音声信号の音量を調整して前記音声信号出力端子から出力する音声信号出力方法であって、
前記音声信号出力端子から音声信号が出力されているかどうかを判断する処理と、
前記映像を投影していない状態且つ前記音声信号出力端子から音声信号を出力可能な状態であるスタンバイ状態において、前記音声信号出力端子から出力される音声信号の音量を調整するための操作が行われた際に、前記音声信号出力端子から音声信号が出力されていないと判断した場合、前記操作に応じた前記音量の調整を禁止する処理とを有する音声信号出力方法。
【請求項９】
音声信号を入力する音声信号入力端子と、前記音声信号を出力する音声信号出力端子とを具備し、映像を投影するプロジェクタに、前記音声信号入力端子に入力した音声信号の音量を調整して前記音声信号出力端子から出力するために実行させるプログラムであって、
前記音声信号出力端子に当該プロジェクタと外部装置とを接続するためのケーブルが接続されているかどうかを判断する手順と、
前記映像を投影していない状態且つ前記音声信号出力端子から音声信号を出力可能な状態であるスタンバイ状態において、前記音声信号出力端子から出力される音声信号の音量を調整するための操作が行われた際に、前記音声信号出力端子に前記ケーブルが接続されていないと判断した場合、前記操作に応じた前記音量の調整を禁止する手順とを前記プロジェクタに実行させるプログラム。
【請求項１０】
音声信号を入力する音声信号入力端子と、前記音声信号を出力する音声信号出力端子とを具備し、映像を投影するプロジェクタに、前記音声信号入力端子に入力した音声信号の音量を調整して前記音声信号出力端子から出力するために実行させるプログラムであって、
前記音声信号出力端子から音声信号が出力されているかどうかを判断する手順と、
前記映像を投影していない状態且つ前記音声信号出力端子から音声信号を出力可能な状態であるスタンバイ状態において、前記音声信号出力端子から出力される音声信号の音量を調整するための操作が行われた際に、前記音声信号出力端子から音声信号が出力されていないと判断した場合、前記操作に応じた前記音量の調整を禁止する手順とを前記プロジェクタに実行させるプログラム。
【国際調査報告】
2009122489.tif 000006
2009122489.tif 000007
2009122489.tif 000008
2009122489.tif 000009